(57)【要約】【課題】  携帯端末機に収納された接触式センサを利用して受信音量を自動に調節し得る携帯端末機の受信音量自動調節装置及びその方法を提供しようとする。【解決手段】  無線受信された信号を音声信号に出力する音声出力部１０と、使用者の接触及びその圧力を感知する圧力感知部２０と、該圧力感知部２０の出力信号の入力を受けて、前記音声出力部１０の出力を制御する出力制御部３０と、該出力制御部３０の出力信号を音声に変換して出力するスピーカー部４０と、を含んで携帯端末機の受信音量自動調節装置を構成する。【選択図】図１
2005020730.tif 000002
【特許請求の範囲】
【請求項１】
無線受信された信号を音声信号に出力する音声出力部と、
使用者の接触及びその圧力を感知する圧力感知部と、
該圧力感知部の出力信号の入力を受けて、前記音声出力部の出力を制御する出力制御部と、
該出力制御部の出力信号を音声に変換して出力するスピーカー部と、
から構成されることを特徴とする携帯端末機の受信音量自動調節装置。
【請求項２】
前記音声出力部は、
ベースバンド・チップセット（ｂａｓｅ−ｂａｎｄ  ｃｈｉｐｓｅｔ）を含み、無線受信された信号を所定レベルを有する音声信号に出力することを特徴とする請求項１記載の携帯端末機の受信音量自動調節装置。
【請求項３】
前記圧力感知部は、
前記スピーカー部の周辺又は内側に収納され、使用者の接触及びその圧力を感知して力の大きさに換算することを特徴とする請求項１記載の携帯端末機の受信音量自動調節装置。
【請求項４】
前記圧力感知部は、
接触式センサにより使用者の接触及びその圧力を感知することを特徴とする請求項１記載の携帯端末機の受信音量自動調節装置。
【請求項５】
前記接触式センサは、
空気の圧力の変化を利用する空気圧センサ（ｐｎｅｕｍａｔｉｃ  ｓｅｎｓｏｒ）であることを特徴とする請求項４記載の携帯端末機の受信音量自動調節装置。
【請求項６】
前記接触式センサは、
圧電効果を利用して接触を感知する圧電センサ（ｐｉｅｚｏｅｌｅｃｔｒｉｃ  ｓｅｎｓｏｒ）であることを特徴とする請求項４記載の携帯端末機の受信音量自動調節装置。
【請求項７】
前記接触式センサは、
相補型金属酸化膜半導体（Ｃｏｍｐｌｉｍｅｎｔａｒｙ  Ｍｅｔａｌ  Ｏｘｉｄｅ  Ｓｅｍｉｃｏｎｄｕｃｔｏｒ；ＣＭＯＳ）製造工法を利用してシリコン自体が感知部の役割をすることで接触を感知する超大規模集積回路（Ｖｅｒｙ  Ｌａｒｇｅ  Ｓｃａｌｅ  Ｉｎｔｅｇｒａｔｉｏｎ；ＶＬＳＩ）技術を利用したセンサであることを特徴とする請求項４記載の携帯端末機の受信音量自動調節装置。
【請求項８】
前記出力制御部は、
前記音声入力部とスピーカー部間に直列に連結されたことを特徴とする請求項１記載の携帯端末機の受信音量自動調節装置。
【請求項９】
前記出力制御部は、
前記圧力感知部から感知信号が入力されると、内部抵抗を低減することで出力を高めることを特徴とする請求項１記載の携帯端末機の受信音量自動調節装置。
【請求項１０】
前記出力制御部は、
前記圧力感知部から感知信号が入力されないと、何ら制御をせずに前記音声出力部の出力信号を前記スピーカー部に伝達することを特徴とする請求項１記載の携帯端末機の受信音量自動調節装置。
【請求項１１】
無線で音声通話を連結する携帯端末機であって、
端末に音声通話が連結されると、使用者の接触があるかを判断する段階と、
使用者の接触があると、感知信号を発生して使用者の接触を知らせる段階と、
前記感知信号が発生されると、受信音量を調節する段階と、
を順次行うことを特徴とする携帯端末機の受信音量自動調節方法。
【請求項１２】
前記使用者の接触は、
使用者の接触時の圧力が所定基準値以上の場合にのみ認知されることを特徴とする請求項１１記載の携帯端末機の受信音量自動調節方法。
【請求項１３】
前記使用者の接触及びその圧力は、
空気の圧力の変化を利用して感知されることを特徴とする請求項１２記載の携帯端末機の受信音量自動調節方法。
【請求項１４】
前記使用者の接触及びその圧力は、
圧電効果を利用して感知されることを特徴とする請求項１２記載の携帯端末機の受信音量自動調節方法。
【請求項１５】
前記使用者の接触及びその圧力は、
相補型金属酸化膜半導体（ＣＭＯＳ）製造工法のシリコン自体が感知部の役割をする超大規模集積回路（ＶＬＳＩ）技術を利用して感知されることを特徴とする請求項１２記載の携帯端末機の受信音量自動調節方法。
【請求項１６】
使用者の接触がないと判断されると、感知信号を発生せずに、受信音量を調節しない段階を更に行うことを特徴とする請求項１１記載の携帯端末機の受信音量自動調節方法。
【発明の詳細な説明】
【技術分野】
【０００１】
本発明は、携帯端末機に係るもので、詳しくは、接触式センサを利用して受信音量を自動に調節し得る携帯端末機の受信音量自動調節装置及びその方法に関するものである。
【背景技術】
【０００２】
最初に携帯端末機が商品化された以後、通信技術及び端末の製造技術の発達、並びに移動通信加入者の爆発的な増加によって、現在の携帯端末機は、過去とは比較にならないほど小型軽量化されることで極めて便利になった。然し、使用者は、より多様で便利な機能を所望し、移動通信会社及び端末機製造会社は、このような使用者の欲求に応答するために技術開発及び研究に取り組んでいるが、ＩＭＴ−２０００という第３世代移動通信のマルチメディア通信と、その端末の製造にのみ集中しているだけで、使用者の基本的な便宜を図る技術は依然として不足した状態である。
【０００３】
一般に、端末機使用者が音声通話をするとき、受信音量を調節するための方法としては、端末機のメニュープログラムを利用するソフトウェア的方法と、端末機の外部にあるボリュームキーを押して音量レベルを調節するハードウェア的方法とがある。
【０００４】
且つ、前記ソフトウェア的方法の端末機のメニュープログラムは、通常、包括的な上位機能から漸次細部的な下位機能に進むツリー構造になっている。このようなソフトウェア的方法により受信音量を調節するために、使用者は受信音量の調節を所望する度毎にメニュープログラムで該当の項目が表示されるまで一々キーを押さなければならないため、大部分の使用者はこの機能を面倒に感じて使用しない。
【０００５】
また、ハードウェア的方法を用いる場合も、通話中に音量ボタンを探して押さなければならないため面倒で、うるさい場所で通話をするために受信音量を最大にしてから通話を切るようになると、そのまま最大の受信音量が維持されるため、次に静かな場所で電話を受けるときはびっくりすることがある。
【発明の開示】
【発明が解決しようとする課題】
【０００６】
このような従来の携帯端末機の受信音量調節方法は、全てが使用者を面倒にさせる受動操作であるため使用者に不便を与えるという不都合な点があった。
【０００７】
本発明は、このような従来の課題に鑑みてなされたもので、携帯端末機に収納された接触式センサを利用して受信音量を自動に調節し得る携帯端末機の受信音量自動調節装置及びその方法を提供することを目的とする。  
【課題を解決するための手段】
【０００８】
このような目的を達成するため、本発明に係る携帯端末機の受信音量自動調節装置は、無線受信された信号を音声信号に出力する音声出力部と、使用者の接触及びその圧力を感知する圧力感知部と、該圧力感知部の出力信号の入力を受けて、前記音声出力部の出力を制御する出力制御部と、該出力制御部の出力信号を音声に変換して出力するスピーカー部と、から構成されることを特徴とする。
【０００９】
また、前記圧力感知部は、接触式センサを含んで構成され、所定基準値以上の圧力がある場合にのみ使用者の接触があると判断して感知信号を出力制御部に出力することを特徴とする。
【００１０】
また、前記接触式センサとしては、一般の空気圧センサ（ｐｎｅｕｍａｔｉｃ  ｓｅｎｓｏｒ）、圧電体を利用したセンサ（ｐｉｅｚｏｅｌｅｃｔｒｉｃ  ｓｅｎｓｏｒ）、超大規模集積回路（Ｖｅｒｙ  Ｌａｒｇｅ  Ｓｃａｌｅ  Ｉｎｔｅｇｒａｔｉｏｎ；以下、ＶＬＳＩと略称す）技術を利用したセンサ、及び機械式方法を含むその他の方法のセンサなどが含まれることを特徴とする。
【００１１】
また、前記出力制御部は、音声出力部とスピーカー部間の抵抗を低減して高い電流が流れるように誘導することで、スピーカー部から出力される受信音量を大きくすることを特徴とする。
【００１２】
そして、本発明に係る携帯端末機の受信音量自動調節方法は、圧力感知部により使用者の接触及びその圧力を判断する過程と、接触があるとき、出力制御部により音声出力部の出力信号を制御することで、スピーカー部から出力される受信音量を大きくする過程と、を行うことを特徴とする。
【００１３】
本発明の携帯端末機の受信音量自動調節装置は、無線受信された信号を音声信号に出力する音声出力部と、使用者の接触及びその圧力を感知する圧力感知部と、
該圧力感知部の出力信号の入力を受けて、前記音声出力部の出力を制御する出力制御部と、該出力制御部の出力信号を音声に変換して出力するスピーカー部と、から構成されることを特徴とし、それにより上記目的が達成される。
【００１４】
前記音声出力部は、ベースバンド・チップセット（ｂａｓｅ−ｂａｎｄ  ｃｈｉｐｓｅｔ）を含み、無線受信された信号を所定レベルを有する音声信号に出力することを特徴としてもよい。
【００１５】
前記圧力感知部は、前記スピーカー部の周辺又は内側に収納され、使用者の接触及びその圧力を感知して力の大きさに換算することを特徴としてもよい。
【００１６】
前記圧力感知部は、接触式センサにより使用者の接触及びその圧力を感知することを特徴としてもよい。
【００１７】
前記接触式センサは、空気の圧力の変化を利用する空気圧センサ（ｐｎｅｕｍａｔｉｃ  ｓｅｎｓｏｒ）であることを特徴としてもよい。
【００１８】
前記接触式センサは、圧電効果を利用して接触を感知する圧電センサ（ｐｉｅｚｏｅｌｅｃｔｒｉｃ  ｓｅｎｓｏｒ）であることを特徴としてもよい。
【００１９】
前記接触式センサは、相補型金属酸化膜半導体（Ｃｏｍｐｌｉｍｅｎｔａｒｙ  Ｍｅｔａｌ  Ｏｘｉｄｅ  Ｓｅｍｉｃｏｎｄｕｃｔｏｒ；ＣＭＯＳ）製造工法を利用してシリコン自体が感知部の役割をすることで接触を感知する超大規模集積回路（Ｖｅｒｙ  Ｌａｒｇｅ  Ｓｃａｌｅ  Ｉｎｔｅｇｒａｔｉｏｎ；ＶＬＳＩ）技術を利用したセンサであることを特徴としてもよい。
【００２０】
前記出力制御部は、前記音声入力部とスピーカー部間に直列に連結されたことを特徴としてもよい。
【００２１】
前記出力制御部は、前記圧力感知部から感知信号が入力されると、内部抵抗を低減することで出力を高めることを特徴としてもよい。
【００２２】
前記出力制御部は、前記圧力感知部から感知信号が入力されないと、何ら制御をせずに前記音声出力部の出力信号を前記スピーカー部に伝達することを特徴としてもよい。
【００２３】
本発明の携帯端末機の受信音量自動調節方法は、無線で音声通話を連結する携帯端末機であって、端末に音声通話が連結されると、使用者の接触があるかを判断する段階と、使用者の接触があると、感知信号を発生して使用者の接触を知らせる段階と、前記感知信号が発生されると、受信音量を調節する段階と、を順次行うことを特徴とし、それにより上記目的が達成される。
【００２４】
前記使用者の接触は、使用者の接触時の圧力が所定基準値以上の場合にのみ認知されることを特徴としてもよい。
【００２５】
前記使用者の接触及びその圧力は、空気の圧力の変化を利用して感知されることを特徴としてもよい。
【００２６】
前記使用者の接触及びその圧力は、圧電効果を利用して感知されることを特徴としてもよい。
【００２７】
前記使用者の接触及びその圧力は、相補型金属酸化膜半導体（ＣＭＯＳ）製造工法のシリコン自体が感知部の役割をする超大規模集積回路（ＶＬＳＩ）技術を利用して感知されることを特徴としてもよい。
【００２８】
使用者の接触がないと判断されると、感知信号を発生せずに、受信音量を調節しない段階を更に行うことを特徴としてもよい。
【発明の効果】
【００２９】
本発明に係る携帯端末機の受信音量自動調節装置及びその方法においては、使用者がメニュープログラムを制御するか又は音量ボタンを押す必要なく、自動に受信音量を調節することで、使用者に便宜を提供し得るという効果がある。
【発明を実施するための最良の形態】
【００３０】
以下、本発明の実施の形態について、図面に基づいて説明する。
【００３１】
図１は、本発明に係る携帯端末機の受信音量自動調節装置を示したブロック図で、図示されたように、本発明に係る携帯端末機の受信音量自動調節装置は、無線受信された信号を音声信号に出力する音声出力部１０と、使用者の接触及びその圧力を感知する圧力感知部２０と、該圧力感知部２０の出力信号を受けて、前記音声出力部１０の出力を制御する出力制御部３０と、該出力制御部３０の出力信号を音声に変換して出力するスピーカー部４０と、を含んで構成されている。
【００３２】
前記音声出力部１０は、ベースバンド・チップセット（ｂａｓｅ−ｂａｎｄ  ｃｈｉｐｓｅｔ）を含み、受信信号を所定レベルを有する音声信号に出力する。
【００３３】
また、前記圧力感知部２０は、前記スピーカー部４０の周辺又は内側に収納されて、使用者が受信音声を聞くために耳を該スピーカー部４０に密着させるとき、その接触及び圧力を感知して力の大きさに換算し、その結果を前記出力制御部３０に伝達する。このとき、使用者との接触を感知してその圧力を測定するためには、接触式センサが使用される。
【００３４】
また、前記出力制御部３０は、前記圧力感知部２０から出力される信号によって、前記音声出力部１０からスピーカー部４０に出力される信号を制御する。このとき、前記出力制御部３０は、前記圧力感知部２０により使用者の接触及びその圧力が感知されない場合は、前記音声出力部１０の出力信号をそのまま前記スピーカー部４０に伝達し、前記圧力感知部２０により使用者の接触及びその圧力が感知された場合は、該圧力感知部２０から出力される感知信号を受けて、前記音声出力部１０の出力信号を調節して前記スピーカー部４０に伝達する。且つ、前記音声出力部１０の出力信号を調節するため、前記出力制御部３０は、前記音声出力部１０とスピーカー部４０間に直列に連結され、内部の抵抗を低減することで高い電流が流れるように誘導して出力を高める。
【００３５】
また、前記スピーカー部４０は、前記音声出力部１０の出力信号、又は前記音声出力部１０から出力されて前記出力制御部３０により調節された出力信号を、使用者が聞くことのできる音声に変換して出力する。
【００３６】
また、前記圧力感知部２０は、接触式センサにより構成され、該接触式センサとしては、例えば、一般の空気圧センサ、圧電体を利用したセンサ、ＶＬＳＩ技術を利用したセンサ、及び機械式方法を含むその他の方法を利用したセンサから選択して使用することがができる。
【００３７】
図２は、接触センサの一例として空気圧センサを示した構成図で、図示されたように、空気圧センサは、圧縮空気がドーム状に屈曲形成された薄い金属板の内側に注入されて、接触により外部圧力が作用すると、金属板が押圧されて内部の空気圧力が変化されることで接触を感知する。
【００３８】
図３は、圧電体を利用した接触センサを示した構成図で、力を加えるとき電荷が発生する性質を圧電性というが、これは、特に動的な力及び極めて少ない力の変化の測定に効果的に用いられる。即ち、図示されたように、圧電体を利用した接触センサは、圧電性高分子を利用したセンサであって、多くの接触点を有する触感センサアレイに構成して、加圧により電気を流すことで動的な力の大きさ及び分布を測定することができる。
【００３９】
図４は、既存のＶＬＳＩ技術を応用した接触式センサを示した構成図である。ＶＬＳＩ技術を応用した接触式センサは、相補型金属酸化膜半導体（Ｃｏｍｐｌｉｍｅｎｔａｒｙ  Ｍｅｔａｌ  Ｏｘｉｄｅ  Ｓｅｍｉｃｏｎｄｕｃｔｏｒ；ＣＭＯＳ）製造工法を利用してシリコン（Ｓｉ）自体が感知部の役割をすることで接触を感知し、力を測定する構造を有する。このようなＶＬＳＩ技術を応用した接触式センサは四つの感知部弾性体から構成され、それら感知部弾性体から発生する電圧の変化を測定して力の大きさに換算することで接触を感知することができる。
【００４０】
その他、歪みゲージ（ｓｔｒａｉｎ  ｇａｕｇｅ）を利用した方法や、電荷結合素子（Ｃｈａｒｇｅ  Ｃｏｕｐｌｅｄ  Ｄｅｖｉｃｅ；ＣＣＤ）カメラを利用して接触面の模様を分析する方法のような多様な触感センサを利用することもできる。
【００４１】
前述したように、微細な接触までも感知し得る接触センサは、非常に多様でその応用も広範囲であり、全て本発明に適用することができる。
【００４２】
図５は、本発明に係る携帯端末機の受信音量自動調節方法を示したフローチャートで、図示されたように、本発明に係る携帯端末機の受信音量自動調節方法においては、まず、端末に音声通話が連結されると（Ｓ１０）、端末の圧力感知部２０は、使用者の接触があるかを判断する（Ｓ２０）。このとき、使用者との接触は静かな外部環境下でも行われることができるため、前記圧力感知部２０は、接触の圧力が所定基準値以上の場合にのみ接触があると判断して、その感知信号を出力制御部３０に出力する（Ｓ３０）。次いで、該感知信号を受けた出力制御部３０は、制御信号を出力して音声出力部１０から出力される音声信号のレベルを調節してスピーカー部４０に伝達し（Ｓ４０）、前記レベルが調節された音声信号を受けたスピーカー部４０は、受信音量を大きくして（Ｓ５０）、音声を出力する（Ｓ６０）。若し、前記判断の際、接触の圧力が所定基準値未満の場合は、前記圧力感知部２０は、接触がないと判断して何ら信号を出力せず、前記スピーカー部４０は、前記音声出力部１０から出力される信号をそのまま受けて出力する。
【００４３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４４】
【図１】本発明に係る携帯端末機の受信音量自動調節装置を示したブロック図である。
【図２】本発明に係る接触センサの一例として空気圧センサを示した構成図である。
【図３】本発明に係る圧電体を利用した接触センサを示した構成図である。
【図４】本発明に係る既存のＶＬＳＩ技術を応用した接触式センサを示した構成図である。
【図５】本発明に係る携帯端末機の受信音量自動調節方法を示したフローチャートである。
【符号の説明】
【００４５】
１０  音声出力部
２０  圧力感知部
３０  出力制御部
４０  スピーカー部
【図１】
2005020730.tif 000003
【図２】
2005020730.tif 000004
【図３】
2005020730.tif 000005
【図４】
2005020730.tif 000006
【図５】
2005020730.tif 000007